(57)【特許請求の範囲】
【請求項１】
物理的歯科模型（３６）のための歯科用インプラントレプリカ（１０）であって、前記歯科用インプラントレプリカが、冠状端（１４）と、先端（１８）と、冠状端に延びる冠状部分（１２）と、先端に延び、かつ周囲刻み（２０）を含む円柱状先端部分（１６）と、冠状部分と先端部分の間に位置され、かつ前記歯科用インプラントレプリカの縦軸に沿って延びる少なくとも一つの外部凸状要素（２８；２８ａ〜ｃ）を含む回転防止部分（２６）と、冠状端に位置された補綴接続界面（３４）とを含むこと、及び前記補綴接続界面（３４）が、実際の歯科用インプラントの上に配置されるべき対応する補綴接続界面と類似の幾何学的形状を有し、前記歯科用インプラントレプリカ（１０）が、実際の歯科用インプラントの類似物であることを特徴とする歯科用インプラントレプリカ。
【請求項２】
回転防止部分が、三つの外部凸状要素（２８ａ〜ｃ）を含み、これらの三つの外部凸状要素のそれぞれが、前記歯科用インプラントレプリカの縦軸に沿って延び、これらの三つの外部凸状要素が、回転防止部分の周囲の周りに、相互に１２０°離れて配置されていることを特徴とする、請求項１に記載の歯科用インプラントレプリカ。
【請求項３】
冠状部分が、円柱状でありかつ第一直径（Ｄ１）を有し、円柱状先端部分が、第二直径（Ｄ２）を有し、第一直径が第二直径より大きいことを特徴とする、請求項１又は２に記載の歯科用インプラントレプリカ。
【請求項４】
前記歯科用インプラントレプリカの縦軸に対して垂直な回転防止部分の最大断面距離（Ｄ３）が、冠状部分の第一直径（Ｄ１）と同一であるか又は冠状部分の第一直径（Ｄ１）より小さく、かつ円柱状先端部分の第二直径（Ｄ２）より大きいことを特徴とする、請求項３に記載の歯科用インプラントレプリカ。
【請求項５】
円柱状先端部分が、先端に面取り（２４）を与えられていることを特徴とする、請求項１〜４のいずれかに記載の歯科用インプラントレプリカ。
【請求項６】
周囲刻みが、Ｕ字形の断面を有することを特徴とする、請求項１〜５のいずれかに記載の歯科用インプラントレプリカ。
【請求項７】
周囲刻みが、円柱状先端部分の下部に与えられていることを特徴とする、請求項１〜６のいずれかに記載の歯科用インプラントレプリカ。
【請求項８】
請求項１〜７のいずれかに記載の歯科用インプラントレプリカ（１０）及び物理的歯科模型（３６）を含むシステムであって、物理的歯科模型が、前記歯科用インプラントレプリカを受容するように適合されかつ回転防止区域（４０）を含む穴（３８）を含み、前記回転防止区域が、前記歯科用インプラントレプリカの少なくとも一つの外部凸状要素と実質的に整合するように適合された少なくとも一つの凹状くぼみ（４２；４２ａ〜ｃ）を有し、物理的歯科模型の穴が、前記歯科用インプラントレプリカが、物理的歯科模型に対して前記歯科用インプラントレプリカの縦軸方向に固定されることができるように、前記歯科用インプラントレプリカの円柱状先端部分の周囲刻みと係合するように適合された少なくとも一つの突起（４８；４８ａ〜ｃ）を有する円柱状区域（４６）をさらに含むことを特徴とするシステム。
【請求項９】
請求項１〜７のいずれかに記載の歯科用インプラントレプリカを受容するように適合された穴（３８）を含む歯科模型（３６）であって、穴が、穴の縦軸に沿って延びる少なくとも一つの凹状くぼみ（４２；４２ａ〜ｃ）を有する回転防止区域（４０）を含み、穴が、回転防止区域の先端に位置された円柱状区域（４６）をさらに含み、円柱状区域が、少なくとも一つの半径方向に延びる突起（４８；４８ａ〜ｃ）を含むことを特徴とする歯科模型。
【請求項１０】
回転防止区域が、複数のリブをさらに含み、前記リブが、回転防止区域の縦軸に沿って変形可能であることを特徴とする、請求項９に記載の歯科模型。
【請求項１１】
円柱状区域が、回転防止区域と少なくとも一つの突起の間に位置された、拡張された領域をさらに含むことを特徴とする、請求項９又は１０に記載の歯科模型。
【請求項１２】
歯科模型（３６）中に、請求項１〜７のいずれかに記載の歯科用インプラントレプリカ（１０）を設置する方法であって、前記方法が、
歯科模型の少なくとも一つの突起（４８；４８ａ〜ｃ）が、前記歯科用インプラントレプリカの周囲刻み（２０）中にスナップ嵌合して、それによって前記歯科用インプラントレプリカを歯科模型に対して前記歯科用インプラントレプリカの縦軸方向に固定するように、前記歯科用インプラントレプリカを、歯科模型の冠状側（５２）から歯科模型の穴（３８）の中に挿入することを含むこと、及び前記穴（３８）が、前記歯科用インプラントレプリカを受容するように適合されかつ回転防止区域（４０）を含み、前記回転防止区域が、前記歯科用インプラントレプリカの少なくとも一つの外部凸状要素と実質的に整合するように適合された少なくとも一つの凹状くぼみ（４２；４２ａ〜ｃ）を有し、物理的歯科模型の穴が、前記歯科用インプラントレプリカが、物理的歯科模型に対して前記歯科用インプラントレプリカの縦軸方向に固定されることができるように、前記歯科用インプラントレプリカの円柱状先端部分の周囲刻みと係合するように適合された少なくとも一つの突起（４８；４８ａ〜ｃ）を有する円柱状区域（４６）をさらに含むことを特徴とする方法。
【請求項１３】
患者の口腔状況の口腔内走査のデータを受けること、ただし、前記口腔状況は、位置決定器を使用して設置された歯科用インプラントを含む、及び
口腔内走査のデータに基づいて、穴を含む歯科模型を３Ｄ印刷すること、ただし、穴の位置は、設置された歯科用インプラントの位置に相当する、
を含むことを特徴とする、請求項１２に記載の方法。
【発明の詳細な説明】
【技術分野】
【０００１】
本発明は、物理的歯科模型のための歯科用インプラントレプリカに関する。本発明はまた、歯科用インプラントレプリカ及び物理的歯科模型を含むシステムに関する。本発明はまた、３Ｄ印刷又はフライス削りされた歯科模型に関する。本発明はまた、歯科模型中に歯科用インプラントレプリカを設置する方法に関する。
【背景技術】
【０００２】
ＵＳ２０１１２９４０９３（Ｓｔｒａｕｍａｎｎ  Ｈｏｌｄｉｎｇ  ＡＧ）は、歯科模型の穴又は盲穴中のインプラント類似物の高さ位置決め、軸方向位置決め、及び角度配向を可能にするような幾何学的形状を有する、歯科模型用のインプラント類似物を開示する。このインプラント類似物は、遠位部分及び近位部分を有する。近位部分は、近位部分の軸に対して垂直な断面において回転対称の幾何学的形状を有する。この回転対称の幾何学的形状は、歯科模型の穴又は盲穴におけるインプラント類似物を回転及び再配置に対向して固定することを確実にするように適合されている。近位部分の外部幾何学的形状は、インプラント類似物が歯科模型から除去されることができるようなものである。遠位部分の近位に配置された肩は、高さ停止部を形成し、この高さ停止部は、歯科模型上の、又は歯科模型の軟組織上のインプラント類似物の正確な高さ位置決めを可能にする。近位部分は、少なくとも二つの平坦な領域又は凹みを有する。歯科模型を固定するために、ねじ山付きの穴がインプラント類似物に与えられることができる。
【０００３】
ＷＯ２０１２０９５８５１（Ｃａｄｅｎｔ  Ｌｔｄ．）は、歯科用インプラントを含む歯科構造の物理的模型を製造するためのシステム及び方法を開示する。物理的模型は、歯科類似物が歯科模型中に略冠状端方向で挿入されることができるように構成されている。歯科類似物は、挿入開口に対応する第一先端類似物端、及び対応する第二冠状類似物端を含み、第二冠状類似物端は、第一先端類似物端の最大幅より小さい最大幅を有する。しかし、「底部から」挿入された歯科類似物は、操作中に、例えば設置中に歯科技工師が関連する修復物又は補綴構成要素に大きな力を加えすぎると、誤って押し出されたり、変位されたりすることがありうる。
【発明の概要】
【発明が解決しようとする課題】
【０００４】
本発明の目的は、改良された歯科用インプラントレプリカを提供することである。特に、本発明の目的は、改良された回転防止特徴及び／又は改良された固定機構を有する歯科用インプラントレプリカを提供することである。
【課題を解決するための手段】
【０００５】
本発明は、添付の独立請求項に規定される。実施形態は、添付の従属請求項に規定される。
【０００６】
本発明の一つの側面によれば、物理的歯科模型のための歯科用インプラントレプリカであって、前記歯科用インプラントレプリカが、冠状端（ｃｏｒｏｎａｌ  ｅｎｄ）と、先端（ａｐｉｃａｌ  ｅｎｄ）と、冠状端に延びる冠状部分（ｃｏｒｏｎａｌ  ｐｏｒｔｉｏｎ）と、先端に延び、かつ周囲刻み（ｃｉｒｃｕｍｖｅｎｔｉｎｇ  ｉｎｄｅｎｔａｔｉｏｎ）を含む円柱状先端部分（ａｐｉｃａｌ  ｐｏｒｔｉｏｎ）と、冠状部分と先端部分の間に位置され、かつ歯科用インプラントレプリカの縦方向に延びる少なくとも一つの外部凸状要素を含む回転防止部分と、冠状端に位置された補綴接続界面とを含むことを特徴とする歯科用インプラントレプリカが提供される。
【０００７】
回転防止部分は、三つの外部凸状要素を含むことができ、これらの三つの外部凸状要素のそれぞれは、歯科用インプラントレプリカの縦方向に延び、これらの三つの外部凸状要素は、回転防止部分の周囲の周りに均一に分布されている。
【０００８】
冠状部分は、円柱状であることができかつ第一直径を有し、円柱状先端部分は、第二直径を有し、第一直径は第二直径より大きい。縦方向に対して垂直な回転防止部分の最大断面距離は、冠状部分の第一直径と同一であるか又は冠状部分の第一直径より小さく、かつ円柱状先端部分の第二直径より大きい。
【０００９】
円柱状先端部分は、先端に面取りを与えられていることができる。
【００１０】
周囲刻みは、Ｕ字形の断面を有する。
【００１１】
周囲刻みは、円柱状先端部分の下部又は先端の半分（ａｐｉｃａｌ  ｈａｌｆ）に与えられていることができる。
【００１２】
本発明の別の側面によれば、歯科用インプラントレプリカ及び物理的歯科模型を含むシステムであって、物理的歯科模型が、歯科用インプラントレプリカを受容するように適合されかつ回転防止区域を含む穴を含み、前記回転防止区域が、歯科用インプラントレプリカの少なくとも一つの外部凸状要素と実質的に整合するように適合された少なくとも一つの凹状くぼみを有し、物理的歯科模型の穴が、歯科用インプラントレプリカが、物理的歯科模型に対して縦方向に固定されることができるように、歯科用インプラントレプリカの円柱状先端部分の周囲刻みと係合するように適合された少なくとも一つの突起を有する円柱状区域をさらに含むことを特徴とするシステムが提供される。本発明のこの側面は、上述の側面と同じ又は同様の特徴及び／又は技術的効果を奏することができる。
【００１３】
本発明のさらに別の側面によれば、歯科用インプラントレプリカを受容するように適合された穴を含む、３Ｄ印刷又はフライス削りされた歯科模型であって、穴が、穴の縦方向に延びる少なくとも一つの凹状くぼみを有する回転防止区域を含み、穴が、回転防止区域の先端に位置された円柱状区域をさらに含み、円柱状区域が、少なくとも一つの半径方向に延びる突起を含むことを特徴とする歯科模型が提供される。本発明のこの側面は、上述の側面と同じ又は同様の特徴及び／又は技術的効果を奏することができる。
【００１４】
回転防止区域は、複数の縦方向に変形可能なリブをさらに含むことができる。
【００１５】
円柱状区域は、回転防止区域と少なくとも一つの突起の間に位置された、拡張された領域をさらに含むことができる。
【００１６】
本発明のさらになお別の側面によれば、歯科模型中に歯科用インプラントレプリカを設置する方法であって、前記方法が、歯科模型の少なくとも一つの突起が、歯科用インプラントレプリカの周囲刻み中にスナップ嵌合して、それによって歯科用インプラントレプリカを歯科模型に対して縦方向に固定するように、歯科用インプラントレプリカを、歯科模型の冠状側から歯科模型の穴の中に挿入することを含むことを特徴とする方法が提供される。本発明のこの側面は、上述の側面と同じ又は同様の特徴及び／又は技術的効果を奏することができる。
【００１７】
この方法は、以下のことを含むことができる：
患者の口腔状況の口腔内走査のデータを受けること、ただし、前記口腔状況は、所望により位置決定器を使用して設置された歯科用インプラントを含む、及び
口腔内走査のデータに基づいて、穴を含む歯科模型を３Ｄ印刷すること、ただし、穴の位置は、設置された歯科用インプラントの位置に相当する。
【００１８】
本発明のこれらの及び他の側面は、以下、本発明の現在の好ましい実施形態を示す添付の図面を参照して、さらに詳細に記述される。
【図面の簡単な説明】
【００１９】
【図１】図１は、本発明の一実施形態による歯科用インプラントレプリカの透視図である。
【図２】図２は、図１の歯科用インプラントレプリカの断面側面図である。
【図３】図３は、図２の線１−１に沿って見た図である。
【図４】図４は、（部分的に示されている）歯科模型中に設置された図１の歯科用インプラントレプリカの断面側面図である。
【図５】図５は、図４の部分拡大図である。
【図６】図６は、図４の線２−２に沿って見た図である。
【図７】図７は、図４の線３−３に沿って見た図である。
【発明を実施するための形態】
【００２０】
本発明の一実施形態による歯科用インプラントレプリカ１０が、今や図１〜３を参照して記述される。歯科用インプラントレプリカ１０は、インプラントレプリカ又はインプラント類似物としても言及される。
【００２１】
歯科用インプラントレプリカ１０は、歯科用インプラントレプリカ１０の冠状端１４に延びる冠状部分１２を含む。好ましくは冠状部分１２は、円柱状であり、第一直径Ｄ１を有する。
【００２２】
歯科用インプラントレプリカ１０は、歯科用インプラント類似物１０の先端１８に延びる円柱状先端部分１６をさらに含む。円柱状先端部分１６は、第二直径Ｄ２を有する。円柱状先端部分１６は、周囲刻み２０の形状のスナップ嵌合を含む。好ましくは、周囲刻み２０は、円柱状先端部分１６の全周に、環のように延びる。また、好ましくは、周囲刻み２０は、歯科用インプラントレプリカの縦方向に垂直に配置される。縦方向は、歯科用インプラントレプリカ１０の冠状端１４及び先端１８を通って延びる（中央）縦軸２２によって規定される。好ましくは、周囲刻み２０は、Ｕ字形の断面を有する。好ましくは、周囲刻み２０は、円柱状先端部分１６の下部又は先端の半分に与えられている。周囲刻み２０は、例えば先端１８から約１ｍｍの位置に与えられることができる。円柱状先端部分１６は、先端１８に面取り２４を与えられていることができる。先端１６は、石膏歯科模型用の既存のインプラントレプリカにおいて通常見いだされる種類の突起要素を有さない。
【００２３】
歯科用インプラントレプリカ１０は、冠状部分１２と先端部分１６の間に、好ましくは冠状部分１２と先端部分１６に隣接して配置された回転防止部分２６をさらに含む。回転防止部分２６は、実質的に円柱状の表面上に少なくとも一つの外部凸状要素２８を含む。少なくとも一つの外部凸状要素２８は、歯科用インプラントレプリカ１０の縦方向に延びる。外部凸状要素２８は、ローブとも称されることができる。好ましくは、少なくとも一つの外部凸状要素２８は、回転防止部分２６の全高さＨにわたって延びる。図示された実施形態では、三つの外部凸状要素２８ａ〜ｃが存在し、これらは、図３において最も良くわかるように、回転防止部分２６の周囲の周りに均一に分布されている。即ち、外部凸状要素２８ａ〜ｃは、相互に１２０°離れて配置されている。他の実施形態では、外部凸状要素２８の数は、一つ、二つ又は三つより多くすることができる。
【００２４】
好ましくは、冠状部分１２の第一直径Ｄ１は、円柱状先端部分１６の第二直径Ｄ２より大きく、縦方向に対して垂直に見た回転防止部分の最大断面距離Ｄ３は、冠状部分の第一直径Ｄ１と同一であるか又は冠状部分の第一直径Ｄ１より小さく、かつ円柱状先端部分の第二直径Ｄ２より大きい。即ち、Ｄ２＜Ｄ３＜Ｄ１である。この目的のため、横方向着座領域３０が、冠状部分１２と回転防止部分２６の間に形成されることができる。
【００２５】
歯科用インプラントレプリカ１０は、歯科用インプラントレプリカ１０の冠状端１４に位置された補綴接続界面３４をさらに含む。図示された補綴接続界面３４は、内部円錐形接続界面であるが、内部三通路接続又は外部六角形などの他の補綴接続界面も使用されることができる。補綴接続界面３４によって、アバットメント、バー、クラウン、ブリッジなどの（図示されない）補綴構成要素は、歯科用インプラントレプリカ１０に接続されることができる。
【００２６】
好ましくは、歯科用インプラントレプリカ１０は、一つの片から作られる。それは例えば、チタンなどの金属からなることができる。
【００２７】
好ましくは、歯科用インプラントレプリカ１０は、物理的歯科模型３６と共に使用される（図４〜７参照）。
【００２８】
本発明の一実施形態による歯科模型３６は、歯科用インプラントレプリカ１０を受容するように適合された穴３８を含む。穴３８は、内腔とも称されることができる。好ましくは、穴３８は、図示された実施形態におけるような貫通穴であるが、それは代替的に盲穴であることもできる。穴３８の縦軸は、５１で示されている。
【００２９】
穴３８は、回転防止区域４０を含み、前記回転防止区域は、歯科用インプラントレプリカ１０の少なくとも一つの外部凸状要素２８と実質的に整合するように適合された少なくとも一つの凹状くぼみ４２を有する。図示された実施形態では、図６において見られるように、外部凸状要素２８ａ〜ｃに対応する三つの凹状くぼみ４２ａ〜ｃが存在する。回転防止区域４０は、複数の縦方向に変形可能なリブ４４をさらに含むことができる。好ましくは、それぞれの凹状くぼみ４２に対して二つのリブ４４が存在する。
【００３０】
穴３８は、歯科用インプラントレプリカ１０の円柱状先端部分１６の周囲刻み２０と係合するように適合された少なくとも一つの突起４８を有する実質的に円柱状の区域４６をさらに含む。少なくとも一つの突起４８は、穴３８の中に半径方向に延びる。少なくとも一つの突起４８は、特に図７において見られるように、図示された実施形態では、三つのノブ４８ａ〜ｃであることができる。三つのノブ４８ａ〜ｃは、円柱状区域４６の周囲の周りに均一に分布されることができる。代替的に、少なくとも一つの突起４８は、単一の周囲突起（図示せず）であることができる。円柱状区域４６は、回転防止区域４０の先端側に位置されることができる。また、円柱状区域４６は、回転防止区域４０と少なくとも一つの突起４８の間に位置された、拡張された領域４９をさらに含むことができる。拡張された領域４９は、円柱状区域４６の残りの領域よりも大きな直径を有する。
【００３１】
穴３８は、歯科用インプラントレプリカ１０の冠状部分１２の全て又は一部と整合する冠状区域５０をさらに含む。全ての冠状部分１２が歯科模型３６から外に突き出る場合は、冠状区域５０は存在しない。
【００３２】
歯科模型３６は、患者の口腔状況（例えば、顎骨、歯肉及び／又は歯（図示せず））に関連する特徴をさらに含む。また、好ましくは、歯科模型３６は、以下にさらに詳述するように、３Ｄ印刷される。代替的に、歯科模型３６は、フライス削りされることができる。
【００３３】
歯科用インプラントレプリカ１０は、図４の矢印によって示されるように、歯科模型３６の冠状側５２から（上から下へと）挿入される。通常、穴３８中にはスリーブは存在しない。歯科用インプラントレプリカ１０の先端１８の面取り２４は、歯科用インプラントレプリカ１０を穴３８中に案内するのを助けることができる。
【００３４】
歯科用インプラントレプリカ１０は、歯科用インプラントレプリカ１０が歯科模型３６中で回転しないことを確実にするために、外部凸状要素２８ａ〜ｃが歯科模型の対応する凹状くぼみ４２ａ〜ｃと一列に整合するように配向されるべきである。外部凸状要素２８ａ〜ｃと凹状くぼみ４２ａ〜ｃは、１２０°の増加（ｉｎｃｒｅｍｅｎｔｓ）での歯科用インプラントレプリカ１０の正確な配置を確実にする。さらに、変形可能なリブ４４は、回転遊びを最小限にするのに役立つことができる。即ち、変形可能なリブ４４は、歯科用インプラント類似物１０の挿入中に少なくともいくらか変形されることができる。その結果として、半径方向の圧縮力が歯科用インプラント類似物１０に加えられ、この力は、回転における残留遊びを安定化させて除去することができる。
【００３５】
さらに、歯科用インプラントレプリカ１０が歯科模型３６の穴３８の中に挿入されて、予め決定された／望まれた位置に到達するにつれて、歯科模型３６のノブ４８ａ〜ｃは、歯科用インプラントレプリカ１０の周囲刻み２０の中にスナップ嵌合し、それによって、歯科用インプラントレプリカ１０を、歯科模型３６に対して縦方向に固定する。好ましくは、少なくとも一つの突起４８は、図５に示されるように、歯科用インプラントレプリカ１０の刻み２０と比較してわずかに下方（先端方向）に配置されている。ノブ４８ａ〜ｃは、歯科用インプラントレプリカ１０の挿入中に少なくともいくらか変形されることができる。変形によって、ノブ４８ａ〜ｃは、歯科用インプラントレプリカ１０に半径方向及び縦（軸）方向の圧縮力を加えることができる。縦（軸）方向の圧縮力は、ノブ４８ａ〜ｃの変形のみから生じるのではなく、それらが刻み２０と比較してわずかに下方に配置されているという事実によっても生じることができる。圧縮力は、歯科用インプラント類似物を軸方向の変位及び曲げに対して安定化する。また、歯科模型３６のノブ４８ａ〜ｃが歯科用インプラントレプリカ１０の周囲刻み２０と係合するとき、それは、歯科用インプラントレプリカ１０が望まれた位置にあるということについての触覚での及び／又は聴覚でのフィードバックを使用者に与えることができる。
【００３６】
周囲刻み２０／ノブ４８ａ〜ｃによって、歯科模型３６中に歯科用インプラントレプリカ１０を固定するためのねじなどの追加の手段が不要である。また、周囲刻み２０は、歯科用インプラントレプリカ１０の先端１８の近くに位置されているので、歯科模型３６の冠状側５２のいかなる歯肉マスク（図示せず）も、周囲刻み２０／ノブ４８ａ〜ｃと干渉しないだろう。また、横方向着座領域３０及び歯科模型３６の穴３８の中の対応する着座領域５３は、冠状端から先端への方向における歯科模型３６に対する歯科用インプラント類似物１０の動きを防止することができる。
【００３７】
また、歯科模型３６中の穴３８が貫通穴である図示された実施形態では、歯科用インプラントレプリカ１０は、好適なツール（図示せず）を歯科模型３６の先端側５４から挿入して、歯科用インプラントレプリカ１０を先端から冠状端への方向に十分強い力で押すことによって、歯科模型３６から容易に除去されることができる。また、使用者は、歯科用インプラントレプリカ１０の正確な配置を確認するために、歯科模型３６の先端側５４から貫通穴３８を通して、（挿入されている）歯科用インプラントレプリカ１０を目視検査することができる。
【００３８】
また、穴３８の拡張された領域４９は、挿入中の歯科用インプラントレプリカ１０と歯科模型３６の間の摩擦を減少させ、それによって歯科模型３６中への歯科用インプラントレプリカ１０の挿入を容易にする。
【００３９】
本発明の歯科用インプラントレプリカ１０と歯科模型３６は、口腔内走査との関連で使用されることが好ましい。かかる用途においては、患者の口腔状況のデジタル口腔内走査がまず、口腔内スキャナー（例えば、３Ｓｈａｐｅから入手可能なＴＲＩＯＳ口腔内スキャナー）を使用して取られる。口腔内状況は、所望により歯科用インプラントに取り付けられた位置決定器を使用して予め設置された歯科用インプラントを含む。次に、口腔内走査からのデータは、歯科模型製造実体（ｅｎｔｉｔｙ）によって受けられる。その後、穴３８を含む歯科模型３６が、３Ｄ印刷技術（追加的な製造とも称される）を使用して、歯科模型製造実体によって製造される。例えば、光重合体化された追加の製造技術（ＤＬＰ（デジタル光加工）など）が使用されることができる。３Ｄ印刷された歯科模型３６は、口腔内走査からのデータに基づいており、穴３８の位置は、設定された歯科用インプラントの位置に対応する。いったん穴３８を有する歯科模型３６が製造されると、歯科用インプラント類似物１０は、手動で又は自動的に、上述のように歯科模型３６の穴３８の中に挿入されることができる。
【００４０】
当業者は、本発明は上述の好ましい実施形態に限定されないことを理解するだろう。対照的に、添付の特許請求の範囲の範囲内で多くの改変及び変更が可能である。
【図１】
0006527143.tif 000002
【図２】
0006527143.tif 000003
【図３】
0006527143.tif 000004
【図４】
0006527143.tif 000005
【図５】
0006527143.tif 000006
【図６】
0006527143.tif 000007
【図７】
0006527143.tif 000008